(57)【要約】【課題】意図していない人による不正使用を抑制しつつ、待機時における消費電流を低減したモードを解除することを効率的に行うことができる電池装置を提供する。【解決手段】少なくとも１つの電池セルと、制御部と、通信部を備える電池装置であって、前記制御部は、前記制御部の消費電流を低減させる消費電流低減モードを有し、前記制御部は、前記電池装置の外部からワイヤレスにて前記電池装置により受電された電力を検出した場合において、前記消費電流低減モードを解除し、前記電池装置の外部から送信された信号を、前記通信部を介して受信することが可能になる、電池装置。【選択図】図１
2019134605.tif 000002
【特許請求の範囲】
【請求項１】
少なくとも１つの電池セルと、制御部と、通信部を備える電池装置であって、
前記制御部は、前記制御部の消費電流を低減させる消費電流低減モードを有し、
前記制御部は、
前記電池装置の外部からワイヤレスにて前記電池装置により受電された電力を検出した場合において、前記消費電流低減モードを解除し、前記電池装置の外部から送信された信号を、前記通信部を介して受信することが可能になる、
電池装置。
【請求項２】
前記制御部は、
前記消費電流低減モードの解除後に受信した信号が所定の信号である場合、前記電池装置の起動を許可する、
請求項１に記載の電池装置。
【請求項３】
前記制御部は、
前記消費電流低減モードの解除後に受信した信号が所定の信号ではない場合、前記電池装置の起動を許可せず、前記消費電流低減モードに移行する、
請求項１又は２に記載の電池装置。
【請求項４】
前記電池装置は、
前記電池装置の外部からワイヤレスにて受電する共振器を備える、
請求項１から３のうちいずれか一項に記載の電池装置。
【請求項５】
前記共振器は、
電力信号に通信信号が重畳された伝送信号を、前記電池装置の外部からワイヤレスにて受信する、
請求項４に記載の電池装置。
【請求項６】
前記電池装置は、
前記共振器が受信した前記伝送信号を電力信号と前記通信信号とに分周する分周器を備える、
請求項５に記載の電池装置。
【請求項７】
前記消費電流低減モードにおいて、前記制御部の一部に電力を供給する内部電源を備える、
請求項１から６のうちいずれか一項に記載の電池装置。
【発明の詳細な説明】
【技術分野】
【０００１】
本発明は、電池装置に関する。
【背景技術】
【０００２】
例えば、電池パックは、出荷時に一定容量が充電されて出荷される。このため、電池パックは、出荷された以降、エンドユーザによって最初に使用されるときから、別途の充電無しに使用されることが可能である。
また、出荷期間は、電池パックの製造工程が完了された以降の出荷時点から、エンドユーザによって当該電池パックが外部装置に装着される時点までの期間である。
【０００３】
ここで、このような出荷期間は、出荷されるすべての電池パックについて、一定とは限らないのが実情である。電池パックの出荷期間が長くなると、電池パックの内部の消費電流によって出荷時に充電された量がすべて放電される場合があった。この場合、当該電池パックがエンドユーザによって最初に使用される前に、まずは初期の充電がなされなければならないといった問題があった。
【０００４】
このような問題を解消するための背景技術の一例として、特許文献１に記載された技術では、電池パック（バッテリパック）の出荷期間の消費電流を低減して当該電池パックの保存期間を延ばす方法が提案されている（特許文献１参照。）。
【０００５】
また、電池パックは、意図していない人によって不正に使用される可能性が考えられる。電池パックの不正使用を抑制する技術の一例として、特許文献２−４に記載された技術では、パスワード認証機能を備えたバッテリシステムが提案されている（特許文献２−４参照。）。
【０００６】
しかしながら、特許文献１に記載された技術では、電池パックの外部に装着されたスイッチを通じて当該電池パックの作動をシャットダウンさせることが前提となっており、メカニカルスイッチの機械的な接点寿命を鑑みると、長寿命および高信頼性が要求される用途への応用に問題が発生する可能性が考えられる。当該用途としては、例えば、自動車、産業機器、医療機器などの用途があり得る。
また、特許文献１に記載された技術では、電池パックの外部に装着されたスイッチを開閉させる作業が発生するため、エンドユーザにとって手間であり、電池パックが組み込まれた機器の動作を自動化するためには不向きな方法であった。また、特許文献１に記載された技術では、意図していない人による電池パックの不正使用を抑制することが出来ない場合があった。すなわち、特許文献１に記載された技術では、意図していない人による電池パックの不正使用を抑制しつつ、電池パック内部の消費電流による過放電を抑制することが困難な場合があった。
また、特許文献２−４に記載された技術では、特許文献１に記載された技術と同様に、電池パックの出荷期間が長くなると、電池パックの内部の消費電流によって出荷時に充電された量がすべて放電される場合があった。すなわち、特許文献２−４に記載された技術では、意図していない人による電池パックの不正使用を抑制しつつ、電池パック内部の消費電流による過放電を抑制することが困難な場合があった。
【先行技術文献】
【特許文献】
【０００７】
【特許文献１】特開２０１１−０６２０７０号公報
【特許文献２】特開２００７−１４１４６４号公報
【特許文献３】特開２０１３−０５８３９９号公報
【特許文献４】特開２０１３−００５６８７号公報
【発明の概要】
【発明が解決しようとする課題】
【０００８】
上述のように、従来では、意図していない人による電池パックの不正使用を抑制しつつ、電池パックの出荷期間における消費電流を低減したモードを解除することを効率的に行うことが困難な場合があった。このような問題は、電池パックに限られず、様々な電池を有する装置（電池装置）においても同様にあった。
【０００９】
本発明は、このような事情を考慮してなされたもので、意図していない人による不正使用を抑制しつつ、待機時における消費電流を低減したモードを解除することを効率的に行うことができる電池装置を提供することを課題とする。
【課題を解決するための手段】
【００１０】
本発明の一態様は、少なくとも１つの電池セルと、制御部と、通信部を備える電池装置であって、前記制御部は、前記制御部の消費電流を低減させる消費電流低減モードを有し、前記制御部は、前記電池装置の外部からワイヤレスにて前記電池装置により受電された電力を検出した場合において、前記消費電流低減モードを解除し、前記電池装置の外部から送信された信号を、前記通信部を介して受信することが可能になる、電池装置である。
【００１１】
本発明の一態様は、電池装置において、前記制御部は、前記消費電流低減モードの解除後に受信した信号が所定の信号である場合、前記電池装置の起動を許可する。
【００１２】
本発明の一態様は、電池装置において、前記制御部は、前記消費電流低減モードの解除後に受信した信号が所定の信号ではない場合、前記電池装置の起動を許可せず、前記消費電流低減モードに移行する。
【００１３】
本発明の一態様は、電池装置において、前記電池装置は、前記電池装置の外部からワイヤレスにて受電する共振器を備える。
【００１４】
本発明の一態様は、電池装置において、前記共振器は、電力信号に通信信号が重畳された伝送信号を、前記電池装置の外部からワイヤレスにて受信する。
【００１５】
本発明の一態様は、電池装置において、前記電池装置は、前記共振器が受信した前記伝送信号を電力信号と前記通信信号とに分周する分周器を備える。
【００１６】
本発明の一態様は、電池装置において、前記消費電流低減モードにおいて、前記制御部の一部に電力を供給する内部電源を備える。
【発明の効果】
【００１７】
本発明によれば、意図していない人による不正使用を抑制しつつ、待機時における消費電流を低減したモードを解除することを効率的に行うことができる。
【図面の簡単な説明】
【００１８】
【図１】本発明の一実施形態に係る電池装置の概略的な構成を示す図である。
【図２】本発明の一実施形態に係る送電側の共振器および受電側の共振器の概略的な構成を示す図である。
【図３】本発明の一実施形態に係る電池装置において行われる処理のうち初期の状態から消費電流低減モードが解除されるまでの処理の手順の一例を示すフローチャートである。
【図４】本発明の一実施形態に係る電池装置において行われる処理のうち消費電流低減モードが解除された後の処理の手順の一例を示すフローチャートである。
【発明を実施するための形態】
【００１９】
以下、図面を参照し、本発明の実施形態について説明する。
本実施形態では、説明の便宜上、最小単位となる電池を「電池セル」と呼ぶ。なお、「電池セル」の代わりに、「単電池」あるいは「セル」などと呼ばれてもよい。
同様に、本実施形態では、複数の電池セルを直列あるいは並列（直列と並列の組み合わせでもよい。）で有するまとまりを「電池部」と呼ぶ。なお、「電池部」の代わりに、単に「電池」（複数の電池セルのまとまりの電池）と呼ばれてもよい。
同様に、本実施形態では、電池部を備える装置を「電池装置」と呼ぶ。なお、「電池装置」の代わりに、「電池パック」、あるいは、「電池モジュール」などと呼ばれてもよい。
同様に、本実施形態では、複数の電池装置を備えるまとまりを「電池システム」と呼ぶ。なお、「電池システム」の代わりに、「組電池」などと呼ばれてもよい。
ここで、これらの呼び方は説明の便宜上のものであり、呼び方が異なっても実質的に同じものは含まれ得る。
【００２０】
図１は、本発明の一実施形態に係る電池装置１の概略的な構成を示す図である。
なお、本実施形態では、電気信号が流れる配線について、一部の配線に符号（図示の符号）を付し、他の配線については符号を省略するが、通常、有線で電気信号が流れるところには配線が備えられる。当該配線は、当該配線によって接続される２個以上の構成部どうしを電気的に接続する。
【００２１】
図１に示される構成について説明する。
電池装置１は、電池部Ｃ１と、プラス（＋）の出力端である接続端１１と、マイナス（−）の出力端である接続端１２と、温度センサ３１と、電流検出抵抗３２と、遮断部３３と、ヒューズ３４と、通信部３６と、制御部３７と、シールド３８と、分周器３９と、内部電源４０を備える。また、通信部３６は、共振器６１と、通信モジュール６２を備える。
本実施形態では、電池部Ｃ１は、ラミネート型のリチウムイオン二次電池である。電池部Ｃ１は、７個の電池セルＢ１〜Ｂ７を備える。本実施形態では、これら７個の電池セルＢ１〜Ｂ７は直列に接続されている。
遮断部３３は、放電用の遮断部（放電遮断部５１）と、充電用の遮断部（充電遮断部５２）を備える。
制御部３７は、電池装置１における各種の制御を行う。
【００２２】
接続端１１および接続端１２は、外部の負荷と接続する端子である。
本実施形態では、電池セルＢ１〜Ｂ７が放電するとき、電池装置１の内部において接続端１２から接続端１１への方向で電流が流れ、電池装置１の外部において接続端１１から接続端１２への方向で電流が流れる。
本実施形態では、電池セルＢ１〜Ｂ７が充電するとき、電池装置１の内部において接続端１１から接続端１２への方向で電流が流れる。
【００２３】
電池部Ｃ１において、７個の電池セルＢ１〜Ｂ７が、順番に、直列に接続されている。これら７個の電池セルＢ１〜Ｂ７のうちで隣り合う２個の電池セルは、前段の電池セルのプラス側と、後段の電池セルのマイナス側とが、接続されている。具体的には、電池セルＢ１のプラス側と電池セルＢ２のマイナス側とが接続されており、電池セルＢ２のプラス側と電池セルＢ３のマイナス側とが接続されており、以降も同様であり、電池セルＢ６のプラス側と電池セルＢ７のマイナス側とが接続されている。
ここで、本実施形態では、すべての電池セルＢ１〜Ｂ７は同一の規格のものである。
【００２４】
電池セルＢ１のマイナス側と電流検出抵抗３２の一端とが接続されている。
電流検出抵抗３２の他端と放電遮断部５１の一端とが接続されている。
放電遮断部５１の他端と充電遮断部５２の一端とが接続されている。
充電遮断部５２の他端と接続端１２とが接続されている。
電池セルＢ７のプラス側とヒューズ３４の一端とが接続されている。
ヒューズ３４の他端と接続端１１とが接続されている。
電池セルＢ７のプラス側とヒューズ３４とを接続する配線における電池セルＢ７のプラス側とヒューズ３４との間には、接点ＣＮ１が設けられている。
接点ＣＮ１と内部電源４０のマイナス側とが接続されている。
内部電源４０のプラス側と制御部３７とが接続されている。
内部電源４０と制御部３７とを接続する配線における内部電源４０と制御部３７との間には、接点ＣＮ２が設けられている。
接点ＣＮ２と分周器３９とが接続されている。
接点ＣＮ２と分周器３９とを接続する配線における接点ＣＮ２と分周器３９との間には、接点ＣＮ３が設けられている。
接点ＣＮ３と通信モジュール６２とが接続されている。
内部電源４０と接点ＣＮ２とを接続する配線における内部電源４０と接点ＣＮ２との間には、制御部３７と分周器３９とのそれぞれから内部電源４０へ電流が流れてしまうことを抑制するダイオードが設けられている。
分周器３９と接点ＣＮ３とを接続する配線における分周器３９と接点ＣＮ３との間には、内部電源４０と制御部３７と通信モジュール６２とのそれぞれから分周器３９へ電流が流れてしまうことを抑制するダイオードが設けられている。
【００２５】
それぞれの電池セルＢ１〜Ｂ７のプラス側は、それぞれの配線ｓ１〜ｓ７を介して、制御部３７と接続されている。これらの配線ｓ１〜ｓ７は、電池セルＢ１〜Ｂ７にかかる電圧を検出するために備えられている。本実施形態では、これらの配線ｓ１〜ｓ７のうちの任意の２個の配線の間にかかる電圧は、当該２個の配線の間に備えられた１個以上の電池セルの両端にかかる電圧に相当する。
制御部３７には、電池装置１の外部へ所定の信号を送信するための配線ｓ１１が接続されている。
【００２６】
温度センサ３１は、電池部Ｃ１が有する電池セルＢ１〜Ｂ７の付近に配置されており、図１の例では、電池セルＢ４の付近に配置されている。
温度センサ３１は、配線ｓ２１を介して、制御部３７と接続されている。
温度センサ３１は、温度を検出し、検出された温度を表す信号を、配線ｓ２１を介して、制御部３７に出力する。
ここで、本実施形態では、温度センサ３１は、電池セルＢ１〜Ｂ７の温度を直接または間接に検出する目的で備えられている。温度センサ３１としては、本実施形態の配置に限られず、他の任意のところに備えられてもよい。
【００２７】
電流検出抵抗３２は、配線ｓ３１を介して、制御部３７と接続されている。
電流検出抵抗３２は、当該電流検出抵抗３２に流れる電流の量を表す信号を、配線ｓ３１を介して、制御部３７に出力する。
本実施形態では、電池部Ｃ１の電池セルＢ１〜Ｂ７に流れる電流と同じ電流が電流検出抵抗３２に流れる。
【００２８】
放電遮断部５１は、例えば、ＭＯＳ（Ｍｅｔａｌ  Ｏｘｉｄｅ  Ｓｅｍｉｃｏｎｄｕｃｔｏｒ）トランジスタの素子を用いて構成されている。
放電遮断部５１は、制御部３７から入力される制御信号によって、電流検出抵抗３２と充電遮断部５２との間の信号経路に電池セルＢ１〜Ｂ７の放電電流を流す状態（本実施形態では、オン状態と呼ぶ。）と、当該放電電流を遮断する（つまり、流さない）状態（本実施形態では、オフ状態と呼ぶ。）とが切り替えられる。
ここで、本実施形態では、当該放電電流は、電池装置１の内部において、接続端１２から接続端１１への方向の電流である。
なお、本実施形態では、放電遮断部５１は、放電を遮断する状態から、放電を遮断しない状態へ復帰することが可能である。
【００２９】
充電遮断部５２は、例えば、ＭＯＳトランジスタの素子を用いて構成されている。
充電遮断部５２は、制御部３７から入力される制御信号によって、放電遮断部５１と接続端１２との間の信号経路に電池セルＢ１〜Ｂ７の充電電流を流す状態（本実施形態では、オン状態と呼ぶ。）と、当該充電電流を遮断する（つまり、流さない）状態（本実施形態では、オフ状態と呼ぶ。）とが切り替えられる。
ここで、本実施形態では、当該充電電流は、電池装置１の内部において、接続端１１から接続端１２への方向の電流である。
なお、本実施形態では、充電遮断部５２は、充電を遮断する状態から、充電を遮断しない状態へ復帰することが可能である。
【００３０】
ここで、本実施形態に係る電池装置１では、すべての電池セルＢ１〜Ｂ７に対して共通に放電遮断部５１が備えられたが、他の構成例として、１個以上の任意の数の電池セルに対して放電遮断部が備えられてもよい。
同様に、本実施形態に係る電池装置１では、すべての電池セルＢ１〜Ｂ７に対して共通に充電遮断部５２が備えられたが、他の構成例として、１個以上の任意の数の電池セルに対して充電遮断部が備えられてもよい。
また、放電遮断部５１と充電遮断部５２のうちの任意の一方が備えられてもよい。
このように、電池装置１では、例えば、少なくとも１個の電池セルＢ１〜Ｂ７に対して、放電遮断と充電遮断とのうちの少なくとも一方の機能を備えてもよい。このような放電遮断あるいは充電遮断の機能は、例えば、多数の電池セルが直列あるいは並列（直列と並列との組み合わせでもよい。）に接続されて配置される場合に特に有用である。
【００３１】
ヒューズ３４は、所定値以上の電流が流れた場合に、電池セルＢ７のプラス側と接続端１１との間の信号経路を切断する。
本実施形態では、ヒューズ３４は、制御部３７から入力される制御信号によっても、切断される構成となっている。
ヒューズ３４は、例えば、過充電の保護用および過電流の保護用に用いられる。
【００３２】
共振器６１は、電池装置１の外部の送電側の装置（図示せず）からワイヤレスで送電された電力を受電する機能を有する。より具体的には、共振器６１は、当該装置から電池装置１にワイヤレスで供給される電力を伝送する電磁波である電力信号を受信することにより、当該電力を受電する。また、共振器６１は、電力信号に通信信号が重畳された信号である伝送信号を当該装置から受信する。すなわち、共振器６１は、伝送信号を受信することにより、電力を受電するとともに通信信号を受信する。つまり、この一例における電力信号は、通信信号が重畳される搬送波のようなものである。電力信号の周波数は、通信信号の周波数と異なる。例えば、電力信号の周波数は、通信信号の周波数の１０倍程度である。このため、後述する分周器３９は、電力信号と通信信号とのうち少なくとも一方の周波数に基づいて、伝送信号を電力信号と通信信号とに分周することができる。なお、電力信号の周波数は、通信信号の周波数の１０倍程度に代えて、通信信号の周波数の１０倍より小さい構成であってもよく、通信信号の周波数の１０倍より大きい構成であってもよい。
共振器６１は、受信された伝送信号を分周器３９に伝送する。
【００３３】
分周器３９は、電力信号と通信信号とのうち少なくとも一方の周波数に基づいて、共振器６１から伝送された伝送信号を電力信号と通信信号とに分周する。
分周器３９は、伝送信号から分周された電力信号を、制御部３７、接点ＣＮ２、接点ＣＮ３、分周器３９を順に接続する配線を介して制御部３７に伝送する。すなわち、分周器３９は、伝送信号として共振器６１が受電した電力を、当該配線を介して制御部３７に給電する。また、分周器３９は、伝送信号から分周された通信信号を、当該配線と異なる配線を介して制御部３７に送信する。当該配線は、制御部３７と分周器３９とを接続する配線のことである。
【００３４】
通信モジュール６２は、電池装置１の外部の通信装置（図示せず）との間で信号を通信する機能を有する。通信モジュール６２は、例えば、通信を行う回路を有する。通信モジュール６２は、この一例において、内部電源４０から電力が供給される。なお、通信部３６は、内部電源４０に代えて、電池部Ｃ１から電力が供給される構成であってもよく、分周器３９を介して共振器６１により受電された電力が供給される構成であってもよく、内部電源４０と電池部Ｃ１と共振器６１とのうちの２つ以上の組み合わせから電力が供給される構成であってもよい。
本実施形態では、通信モジュール６２は、外部の通信装置から送信されてきた信号を受信し、受信された信号を制御部３７に出力する。また、通信モジュール６２は、制御部３７から入力された信号を外部の通信装置に送信する。
ここで、通信モジュール６２により行われる通信は、例えば、無線通信であってもよく、あるいは、有線通信であってもよい。
【００３５】
通信装置としては、例えば、送電側の装置が用いられてもよく、あるいは、送電側の装置を無線などにより離隔制御する装置（リモートコントローラ）が用いられてもよい。
一例として、リモートコントローラが人により操作されることで、当該リモートコントローラから送電側の装置に送電開始の指示が送信される。これにより、送電側の装置は、受電側の装置（本実施形態では、電池装置１）に対してワイヤレス電力伝送を開始する。受電側の装置（本実施形態では、電池装置１）は、必要に応じて、所定の信号を当該リモートコントローラに送信する。
【００３６】
内部電源４０は、電池部Ｃ１に備えられた電池セルＢ１〜Ｂ７から供給された電力に基づいて、制御部３７の少なくとも一部に電力を供給可能な定電圧源である。内部電源４０は、例えば、ＤＣ（Ｄｉｒｅｃｔ  Ｃｕｒｒｅｎｔ）／ＤＣコンバータを備え、電池部Ｃ１に備えられた電池セルＢ１〜Ｂ７から供給された電力を降圧する。内部電源４０は、降圧した電圧を一定に保ちながら、当該電圧に応じた電力を制御部３７の少なくとも一部に供給する。
【００３７】
制御部３７は、各種の情報を取得する。制御部３７は、例えば、配線ｓ１〜ｓ７のそれぞれから入力される信号に基づいて、７個の電池セルＢ１〜Ｂ７のうちで、任意の１個以上の連続した電池セルの部分にかかる電圧を表す情報を取得する。また、制御部３７は、例えば、温度センサ３１から配線ｓ２１を介して入力される信号に基づいて、温度センサ３１により検出された温度を表す情報を取得する。また、制御部３７は、例えば、電流検出抵抗３２から配線ｓ３１を介して入力される信号に基づいて、電流検出抵抗３２に流れる電流を表す情報を取得する。また、制御部３７は、分周器３９から通信信号を取得する。
【００３８】
本実施形態では、制御部３７には、電池部Ｃ１に備えられた電池セルＢ１〜Ｂ７から電力が供給されることが可能である。また、制御部３７には、分周器３９を介して共振器６１により受電された電力が供給されることが可能である。また、制御部３７には、内部電源４０から電力が供給されることが可能である。すなわち、制御部３７は、電池部Ｃ１と内部電源４０と共振器６１との少なくとも一部から電力が供給されることが可能である。
【００３９】
制御部３７は、記憶部７１と、検出部７２と、モード切替部７３と、認証部７４と、判定部７５と、処理部７６を備える。なお、制御部３７は、記憶部７１と、検出部７２と、モード切替部７３と、認証部７４と、判定部７５と、処理部７６に加えて、他の機能部を備える構成であってもよい。
【００４０】
記憶部７１は、各種の情報を記憶する。記憶部７１は、例えば、各種の判定あるいは各種の制御などにおいて使用される情報を記憶する。
【００４１】
検出部７２は、電池装置１の外部からワイヤレスにて電池装置１により受電された電力を検出する。具体的には、検出部７２は、分周器３９を介して共振器６１により受電された電力が制御部３７に給電された場合、当該電力を、電池装置１の外部からワイヤレスにて電池装置１により受電された電力として検出する。
【００４２】
モード切替部７３は、電池装置１の外部からワイヤレスにて電池装置１により受電された電力を検出部７２が検出した場合、電池装置１のモードを切り替える。
本実施形態では、電池装置１は、複数の異なるモードを有する。
電池装置１のモードとしては、例えば、電池装置１における消費電流を低減させるモード（説明の便宜上、「消費電流低減モード」という。）と、このような消費電流を低減させずに電池装置１を駆動させるモード（説明の便宜上、「通常駆動モード」という。）と、電池装置１の外部からワイヤレスにて電池装置１に電力を送電する装置の認証を行うモード（説明の便宜上、「認証モード」という。）がある。
また、消費電流低減モードとしては、例えば、電池装置１の出荷時に設定されるモード（説明の便宜上、「シップモード」という。）と、電池装置１の出荷後に設定されるモード（説明の便宜上、「省電力モード」という。）がある。すなわち、電池装置１のモードは、初期において、消費電流低減モードである。
シップモードは、例えば、出荷期間に電池装置１の制御部３７のうちの検出部７２及びモード切替部７３以外の機能部をシャットダウンさせるモードであり、特許文献１に記載されたものと同じである。シップモードでは、制御部３７が備える検出部７２及びモード切替部７３のそれぞれが内部電源４０から電力を供給される。すなわち、シップモードでは、制御部３７のうちの検出部７２及びモード切替部７３以外の機能部には、電力が供給されない。
省電力モードとしては、例えば、電池装置１が外部の装置（図示せず）と未接続である状態の期間（未接続期間）におけるスリープ・シャットダウンモードがある。スリープ・シャットダウンモードは、シップモードの場合と同様に、制御部３７のうちの検出部７２及びモード切替部７３以外の機能部をスリープ・シャットダウンさせる。すなわち、スリープ・シャットダウンモードでは、制御部３７が備える検出部７２及びモード切替部７３のそれぞれが内部電源４０から電力を供給される。また、スリープ・シャットダウンモードでは、制御部３７のうちの検出部７２及びモード切替部７３以外の機能部には、電力が供給されない。
ここで、本実施形態では、消費電流低減モードとして、シップモードが用いられる場合を示す。他の例として、消費電流低減モードとして、省電力モードが用いられてもよく、あるいは、シップモードと省電力モードとの両方が用いられてもよい。本実施形態では、電池装置１において、消費電流低減モードが設定された状態では、通常駆動モードが設定された状態と比べて、制御部３７の回路内で消費される電流が低減させられる。
認証モードは、電池装置１の外部から送信された信号を、制御部３７が通信部３６を介して（すなわち、共振器６１と通信モジュール６２のうちの少なくとも一方を介して）受信することが可能なモードのことである。ここで、当該信号を制御部３７が通信部３６を介して受信することが可能なモードとは、すなわち、当該信号を制御部３７が処理することが可能なモードのことを意味する。以下では、一例として、認証モードが、当該信号を制御部３７が共振器６１を介して受信することが可能なモードのことである場合について説明する。認証モードでは、例えば、消費電流低減モードにおける制御部３７において、電池装置１の外部からワイヤレスにて電池装置１により受電された電力を検出部７２が検出した場合、制御部３７のうちの記憶部７１、検出部７２、モード切替部７３、認証部７４のそれぞれに内部電源４０から電力が供給される。つまり、認証モードでは、当該場合、制御部３７のうちの記憶部７１、検出部７２、モード切替部７３、認証部７４以外の機能部には、電力が供給されない。なお、認証モードでは、当該場合、記憶部７１、検出部７２、モード切替部７３、認証部７４のそれぞれに加えて、制御部３７のうちの記憶部７１、検出部７２、モード切替部７３、認証部７４以外の機能部の一部に電力が供給される構成であってもよい。
【００４３】
本実施形態では、モード切替部７３は、電池装置１が消費電流低減モードにあるときに、電池装置１の外部からワイヤレスにて電池装置１により受電された電力を検出部７２が検出した場合、消費電流低減モードを解除して、電池装置１のモードを切り替える。本実施形態では、この場合、モード切替部７３は、認証モードへ切り替える。また、モード切替部７３は、電池装置１が認証モードにあるときに、電池装置１の外部からワイヤレスにて電池装置１に電力を送電する装置の認証に成功したと認証部７４が判定した場合、認証モードを解除して、電池装置１のモードを切り替える。本実施形態では、この場合、モード切替部７３は、通常駆動モードへ切り替える。すなわち、当該場合、モード切替部７３は、認証部７４によって電池装置１の起動が許可され、電池装置１のモードを通常駆動モードに移行させる。一方、モード切替部７３は、電池装置１が認証モードにあるときに、当該認証に失敗したと認証部７４が判定した場合、認証モードを解除して、電池装置１のモードを切り替える。本実施形態では、この場合、モード切替部７３は、消費電流低減モードへ切り替える。すなわち、当該場合、モード切替部７３は、認証部７４によって電池装置１の起動が許可されず、電池装置１のモードを再び消費電流低減モードに移行させる。
【００４４】
認証部７４は、電池装置１が認証モードにあるときに、電池装置１の外部からワイヤレスにて電池装置１に電力を送電する装置の認証を行う。具体的には、認証部７４は、モード切替部７３が電池装置１のモードを認証モードに切り替えた場合、分周器３９によって伝送信号から分周された通信信号を取得するまで待機する。当該通信信号を取得した場合、認証部７４は、記憶部７１に予め記憶された所定の信号を示す情報に基づいて、取得した通信信号が当該所定の信号と一致する信号であるか否かを判定する。すなわち、所定の信号は、認証部７４が行う認証におけるパスワードを示す。なお、所定の信号は、パスワードを示す構成に代えて、当該装置の識別情報（例えば、ＩＤ（ＩＤｅｎｔｉｆｉｅｒ）等）とパスワードとのそれぞれを示す構成であってもよく、パスワードと他の情報とのそれぞれを示す構成であってもよい。認証部７４は、当該通信信号が当該所定の信号と一致する信号であると判定した場合（すなわち、当該装置の認証に成功した場合）、電池装置１の起動を許可する。一方、認証部７４は、当該通信信号が当該所定の信号と一致する信号ではないと判定した場合（すなわち、当該装置の認証に失敗した場合）、電池装置１の起動を許可しない。なお、認証部７４は、当該場合、当該装置から所定の信号と一致しない通信信号を受信したことを示す情報を履歴（ログ）として記憶部７１に記憶させてもよく、当該情報を履歴として記憶部７１に記憶させない構成であってもよい。このような構成は、電池装置１におけるパスワードクラッキング対策の一例である。これにより、電池装置１は、当該履歴によって電池装置１のメンテナンス性を向上させることができる。
【００４５】
判定部７５は、所定の判定を行う。
判定部７５は、例えば、制御部３７において取得される所定の情報に基づいて、当該情報に関する所定の判定を行う。図１の例では、判定部７５は、電池部Ｃ１の状態（例えば、各電池セルＢ１〜Ｂ７の状態）を判定（検出）する。また、判定部７５は、放電遮断部５１をオン状態とするかあるいはオフ状態とするかを判定する。また、判定部７５は、充電遮断部５２をオン状態とするかあるいはオフ状態とするかを判定する。また、判定部７５は、ヒューズ３４を切断するか否かを判定する。なお、判定部７５が有する機能のうちの少なくとも一部は、検出部７２と一体に構成されてもよい。
【００４６】
処理部７６は、制御部３７において通信モジュール６２を介して取得される各種の信号に基づいて、当該信号に応じた処理を行う。なお、処理部７６が有する機能のうちの少なくとも一部は、認証部７４と一体に構成されてもよい。
【００４７】
制御部３７は、他の様々な制御を行ってもよい。
制御部３７は、電池セルＢ１〜Ｂ７の状態を監視する。
図１の例では、制御部３７は、電池セルＢ１〜Ｂ７について、充電の制御を行い、また、放電の制御を行う。また、制御部３７は、放電遮断部５１の状態をオン状態とするかあるいはオフ状態とするかを制御し、また、充電遮断部５２の状態をオン状態とするかあるいはオフ状態とするかを制御する。また、制御部３７は、ヒューズ３４を切断する制御を行う。また、制御部３７は、通信モジュール６２により外部の装置との間で通信を行うことを制御する。
制御部３７は、例えば、マイクロプロセッサなどのプロセッサを用いて構成されてもよい。制御部３７は、例えば、２次保護用のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）を用いて構成されてもよい。また、制御部３７は、例えば、バッテリマネージメントシステム（ＢＭＳ：Ｂａｔｔｅｒｙ  Ｍａｎａｇｅｍｅｎｔ  Ｓｙｓｔｅｍ）の構成部として備えられてもよい。
【００４８】
シールド３８は、電池セルＢ１〜Ｂ７と共振器６１との間における電界、磁界、あるいは電磁波を遮蔽する機構を有する。
シールド３８は、例えば、金属を用いて構成されている。
なお、図１の例では、シールド３８をイメージ的に示してあるが、シールド３８の形状あるいは配置などは、電池セルＢ１〜Ｂ７と共振器６１との間における電界などを遮蔽するという目的が達せられるように、様々な態様が用いられてもよい。
電池装置１では、このようなシールド３８が備えられることで、例えば、ワイヤレス電力伝送時に漏れ磁束に起因した誘導加熱によって電池セルＢ１〜Ｂ７の温度が上昇して電池セルＢ１〜Ｂ７が劣化することを抑制（好ましくは、防止）することができる。
【００４９】
図２は、本発明の一実施形態に係る送電側の共振器１０１および受電側の共振器１０２の概略的な構成を示す図である。
図２では、説明の便宜上、送電側の共振器１０１と受電側の共振器１０２を含むシステムを共振システム１００として示してある。
【００５０】
送電側の共振器１０１は、一例として、２個の接続端１２１、１２２の間に、コイル１３１と、コンデンサ１３２と、抵抗１３３を備える。
図２の例では、接続端１２１にコイル１３１の一端およびコンデンサ１３２の一端が接続され、コイル１３１の他端およびコンデンサ１３２の他端が抵抗１３３の一端に接続され、抵抗１３３の他端が接続端１２２に接続される。また、これらの回路素子（コイル１３１、コンデンサ１３２、抵抗１３３）の反対側において、２個の接続端１２１、１２２の間に電源１４１が接続される。
【００５１】
受電側の共振器１０２は、一例として、２個の接続端１６１、１６２の間に、コイル１７１と、コンデンサ１７２と、抵抗１７３を備える。
図２の例では、接続端１６１にコイル１７１の一端およびコンデンサ１７２の一端が接続され、コイル１７１の他端およびコンデンサ１７２の他端が抵抗１７３の一端に接続され、抵抗１７３の他端が接続端１６２に接続される。また、これらの回路素子（コイル１７１、コンデンサ１７２、抵抗１７３）の反対側において、２個の接続端１６１、１６２の間に負荷１８１が接続される。
【００５２】
送電側の共振器１０１では、電源１４１から供給される電力がコイル１３１からワイヤレスで送信（送電）される。
受電側の共振器１０２では、送電側の共振器１０１からワイヤレスで送電された電力がコイル１７１により受電されて、負荷１８１に供給される。
本実施形態では、図１の例における電池装置１の共振器６１は図２の例における受電側の共振器１０２に相当し、図１の例における制御部３７が図２の例における負荷１８１に相当する。
【００５３】
本実施形態において、電池装置１では、共振器６１により、電池装置１の外部からワイヤレスで受電する。共振器６１は、例えば、特定の周波数の電界、磁界、または電磁波が印加されると共振する特性を有する。
このような共振器６１では、当該共振器６１の共振周波数（共振点）と同一（または、略同一）の周波数成分を持った電界、磁界、または電磁波が印加されたことを起因として、ワイヤレスで電力を受電する。
ここで、共振周波数から外れた周波数成分については、電池装置１の受電電力に寄与しない。このため、共振器６１を用いた構成は、例えば、充電器および接続される負荷とのマッチングの技術に応用されることが可能である。
【００５４】
一例として、ワイヤレス電力伝送の方式として、磁界共振方式が用いられてもよい。
磁界共振方式では、共振器６１において、結合係数ｋ（磁界共振方式のコイル同士の結合係数）とＬＣ回路（コイルとコンデンサで構成される共振器の回路）のＱ値との積（ｋ×Ｑ）の値を高くすることができるため、ワイヤレスにて高効率で電力伝送を行うことが可能である。
他の例として、ワイヤレス電力伝送の方式として、電磁誘導方式が用いられてもよい。
例えば、電磁誘導方式を用いたワイヤレス電力伝送の方式として、磁石（磁石の機能）を起磁力を用いて発生させる方式が用いられてもよい。
【００５５】
他の例として、ワイヤレス電力伝送の方式として、容量結合方式が用いられてもよい。
他の例として、ワイヤレス電力伝送の方式として、超音波、マイクロ波、あるいは、レーザを使用する方式が用いられてもよい。
このように、ワイヤレス電力伝送の方式としては、使用状況などに応じて実用的な方式が選択されて用いられてもよい。
【００５６】
ここで、本実施形態に係る電池装置１では、制御部３７へのワイヤレス電力伝送の伝送電力が５０［Ｗ］以下となるように設定されている。本実施形態では、送電側の装置から受電側の装置（本実施形態では、電池装置１）へのワイヤレス電力伝送の電力が５０［Ｗ］以下となるように調整されている。
なお、本実施形態では、ワイヤレス電力伝送は、電池セルＢ１〜Ｂ７自体の充電を目的としておらず、制御部３７（例えば、電池セルＢ１〜Ｂ７の監視および制御を行う回路の部分）のみへの電力供給を目的としている。このため、例えば、電波法第１００条が定める高周波利用設備のうち、個別許可が不要な設備（５０［Ｗ］以下）に相当すると考えられる。
【００５７】
次に、制御部３７が行う処理の具体例について説明する。
なお、本実施形態では、前述した通り、電池装置１において、初期の状態として、消費電流低減モードが設定されているとする。
【００５８】
図３は、本発明の一実施形態に係る電池装置１において行われる処理のうち初期の状態から消費電流低減モードが解除されるまでの処理の手順の一例を示すフローチャートである。
【００５９】
制御部３７では、電池装置１の外部からワイヤレスにて電池装置１により受電された電力が検出部７２により検出されるまで待機する（ステップＳ１）。
電池装置１の外部からワイヤレスにて電池装置１により受電された電力が検出部７２により検出された場合（ステップＳ１：ＹＥＳ）、モード切替部７３は、電池装置１のモードを消費電流低減モードから認証モードへ移行させる（ステップＳ２）。
【００６０】
次に、認証部７４は、分周器３９によって伝送信号から分周された通信信号を取得するまで待機する（ステップＳ３）。
分周器３９によって伝送信号から分周された通信信号を取得した場合（ステップＳ３：ＹＥＳ）、認証部７４は、認証処理を行う（ステップＳ４）。認証処理では、認証部７４は、記憶部７１に予め記憶された所定の信号を示す情報に基づいて、取得した通信信号が当該所定の信号と一致する信号であるか否かを判定する。具体的には、認証部７４は、当該情報を記憶部７１から読み出す。認証部７４は、読み出した当該情報が示す当該所定の信号と、取得した通信信号とが一致するか否かを判定する。ここで、通信信号は、前述した通り、電力信号に重畳されている。具体的には、通信信号は、例えば、所定の期間内において、共振器６１により電力信号が受信されている時間帯と、共振器６１により電力信号が受信されていない時間帯との連なりのパターンによって表される。なお、通信信号は、これに代えて、電力信号に重畳された他のパターンによって表される構成であってもよい。
【００６１】
次に、認証部７４は、ステップＳ４において行われた認証処理における認証が成功したか否かを判定する（ステップＳ５）。
ステップＳ４において行われた認証処理における認証が成功したと判定した場合（ステップＳ５：ＹＥＳ）、認証部７４は、電池装置１の起動を許可する。そして、モード切替部７３は、電池装置１のモードを通常駆動モードに移行させ（ステップＳ６）、処理を終了する。一方、ステップＳ４において行われた認証処理における認証が失敗したと判定した場合（ステップＳ５：ＮＯ）、認証部７４は、電池装置１の起動を許可しない。そして、モード切替部７３は、電池装置１のモードを消費電流低減モードに移行させ（ステップＳ７）、処理を終了する。
【００６２】
なお、ステップＳ３において認証部７４は、分周器３９によって伝送信号から分周された通信信号を取得する構成に代えて、通信モジュール６２によって受信された通信信号を取得する構成であってもよい。
また、認証部７４は、共振器６１または通信モジュール６２によって通信信号を取得せず、共振器６１または通信モジュール６２によってトリガー信号を受信する構成であってもよい。この場合、認証部７４は、トリガー信号の受信をトリガー（切っ掛け）として、無線または有線による通信を用いた何らかの方法により外部の装置から通信信号を受信し、受信した通信信号に基づいて認証処理を行う。
また、認証部７４は、ステップＳ４における認証処理において、連続して所定の回数認証に失敗した場合、電池装置１の再使用を不許可にする処理を行う構成であってもよい。このような構成は、電池装置１におけるパスワードクラッキング対策の一例である。これにより、電池装置１は、意図していない人による電池装置１の不正使用を、より確実に抑制することができる。
また、電池装置１は、認証に失敗したことを報知する報知部を備える構成であってもよい。この場合、認証部７４は、ステップＳ４における認証処理において認証に失敗した際、報知部によって認証に失敗したことを報知する。ここで、報知部は、例えば、光を点灯させるＬＥＤ（Ｌｉｇｈｔ  Ｅｍｉｔｔｉｎｇ  Ｄｉｏｄｅ）であってもよく、画像を表示する表示部（例えば、ディスプレイ）であってもよく、音を出力する音出力部（例えば、スピーカー）であってもよく、振動子を振動させる振動部であってもよく、認証に失敗したことを報知可能な他の報知部であってもよい。これにより、電池装置１は、意図していない人による電池装置１の不正使用を抑制するとともに、不正使用が行われる可能性を報知することができる。
また、認証部７４は、ステップＳ４における認証処理において認証に失敗した場合、認証に失敗したことを示す情報を、通信モジュール６２を介して電池装置１の外部の装置に出力する構成であってもよい。
また、上記において説明した記憶部７１には、電池装置１が出荷される前のタイミングにおいて、前述の所定の信号を示す情報が記憶される。なお、記憶部７１には、電池装置１が出荷された後のタイミングにおいて、所定の信号を示す情報を記憶可能な構成であってもよい。
【００６３】
図４は、本発明の一実施形態に係る電池装置１において行われる処理のうち消費電流低減モードが解除された後の処理の手順の一例を示すフローチャートである。
【００６４】
本実施形態では、制御部３７は、消費電流低減モードが解除された後に、所定の異常の有無を判定して、当該所定の異常を検出する機能を有する。また、制御部３７は、消費電流低減モードが解除された後に、所定の異常を検出した場合に、所定の処理を行う機能を有する。以下では、図４に示したステップＳ１１が実行される前のタイミングにおいて、消費電流低減モードが解除されている場合について説明する。
【００６５】
ここで、所定の異常としては、様々な異常が用いられてもよく、例えば、過放電が発生するという異常、過充電が発生するという異常、あるいは、電池セルＢ１〜Ｂ７の温度が所定の範囲の外側であるという異常などのうちの１以上が用いられてもよい。電池セルＢ１〜Ｂ７の温度としては、例えば、温度センサ３１により検出される温度が用いられてもよい。当該所定の範囲としては、例えば、電池セルＢ１〜Ｂ７の使用が可能であると規定された範囲（使用範囲）が用いられてもよい。
【００６６】
また、所定の処理としては、様々な処理が用いられてもよく、例えば、所定の信号を外部に出力する処理が用いられてもよい。
一例として、所定の処理は、外部の装置である送電側の装置に異常の発生を通知する信号を送信する処理であってもよい。この場合、当該送電側の装置では、受電側の装置（本実施形態では、電池装置１）において異常が発生したことを、当該受電側の装置から報知される。制御部３７は、例えば、配線ｓ１１を介して、所定の信号を電池装置１の外部に出力する。
【００６７】
例えば、送電側の装置がワイヤレス電力伝送を開始することで、受電側の装置（本実施形態では、電池装置１）における消費電流低減モードを解除することを当該受電側の装置に指示したときに、所定の異常によって消費電流低減モードが解除されない場合が考えられる。このような場合に、受電側の装置が送電側の装置に異常の発生を通知することで、それぞれの装置において、例えば、送電側の装置に問題が発生したこと、あるいは、受電側の装置（本実施形態では、電池装置１）に問題が発生したことを識別することを可能とすることができる。
【００６８】
他の例として、所定の処理は、制御部３７による制御によって放電遮断部５１により放電を遮断する処理と、制御部３７による制御によって充電遮断部５２により充電を遮断する処理と、のうちの少なくとも一方（つまり、任意の一方または両方）であってもよい。
他の例として、所定の処理は、制御部３７による制御によって、ヒューズ３４を切断する処理であってもよい。
制御部３７では、判定部７５は、所定の異常を検出したか否かを判定する（ステップＳ１１）。所定の異常を検出したと判定部７５が判定した場合（ステップＳ１１：ＹＥＳ）、処理部７６は、所定の処理を実行し（ステップＳ１２）、本フローの処理を終了する。一方、判定部７５は、所定の異常を検出していないと判定した場合（ステップＳ１１：ＮＯ）、本フローの処理を終了する。
【００６９】
以上のように、本実施形態に係る電池装置１は、制御部３７の消費電流を低減させる消費電流低減モードを有している。また、本実施形態に係る電池装置１では、制御部３７は、電池装置１の外部からワイヤレスで当該電池装置１により受電された電力を検出した場合に、消費電流低減モードを解除する。そして、本実施形態に係る電池装置１は、電池装置１の外部から送信された信号を、共振器６１を介して受信することが可能になる。これにより、本実施形態に係る電池装置１は、意図していない人による不正使用を抑制しつつ、待機時における消費電流を低減したモード（この一例において、消費電流低減モード）を解除することを効率的に行うことができる。
【００７０】
また、本実施形態に係る電池装置１では、消費電流低減モードからの復帰（本実施形態では、通常駆動モードへの復帰）をワイヤレスの電力供給によって実行させることができる。これにより、本実施形態に係る電池装置１（あるいは、当該電池装置１が組み込まれた任意の機器）では、待機時の消費電流を低減することで過放電を抑制（好ましくは、防止）しつつ、高信頼性、配線作業の軽減による作業性および利便性の向上、配線部材の減少による省スペース化などを実現することができる。
【００７１】
ここで、電池装置１に備えられる電池部Ｃ１に含まれる電池セルの数としては、１個以上の任意の数であってもよい。
また、電池装置１に備えられる電池部Ｃ１に含まれる電池セルの配置は、任意であってもよく、例えば、直列の配置、並列の配置、あるいは、直列と並列とを組み合わせた配置が用いられてもよい。
また、図１に示される電池装置１では、電池部Ｃ１以外の構成部のうちの一部または全部は、バッテリマネージメントシステム（ＢＭＳ）の構成部として備えられてもよい。
【００７２】
また、本実施形態に係る電池装置１のような電池装置を複数備えた電池システム（図示せず）が実施されてもよい。
電池システムでは、複数の電池装置が直列あるいは並列に任意に配置されて構成される。なお、複数の電池装置について、直列と並列とが組み合わされた配置が用いられてもよい。
電池システムでは、例えば、多数の電池装置を直列に接続する構成、あるいは、多数の電池装置を並列に接続する構成などを含むことができ、高電圧化および高容量化が可能であり、例えば、蓄電に関して高電圧化および高容量化が可能である。
【００７３】
なお、共振器６１により電力を受電する外部の送電装置と、通信モジュール６２により通信を行う外部の通信装置とは、例えば、同一の装置であってもよく、あるいは、異なる装置であってもよい。
また、本実施形態では、共振器６１と通信モジュール６２とを別体として備えたが、他の構成例として、共振器６１の機能を用いて他の装置との間で通信を行ってもよい。
例えば、電池装置１では、外部からの電力伝送に重畳して通信信号を送受信してもよい。
【００７４】
＜構成例＞
一構成例として、少なくとも１つの電池セル（図１の例では、電池セルＢ１〜Ｂ７）と、制御部（図１の例では、制御部３７）を備える電池装置（図１の例では、電池装置１）であって、制御部は、制御部の消費電流を低減させる消費電流低減モードを有する。制御部は、電池装置の外部からワイヤレスにて電池装置により受電された電力を検出した場合に、消費電流低減モードを解除し、電池装置の外部から送信された信号を、通信部（図１の例では、通信部３６）を介して受信することが可能になる。
一構成例として、電池装置において、制御部は、消費電流低減モードの解除後に受信した信号が所定の信号である場合、電池装置の起動を許可する。
一構成例として、電池装置において、制御部は、消費電流低減モードの解除後に受信した信号が所定の信号ではない場合、電池装置の起動を許可せず、消費電流低減モードに移行する。
一構成例として、電池装置において、電池装置の外部からワイヤレスにて受電する共振器（図１の例では、共振器６１）を備える。
一構成例として、電池装置において、共振器は、電力信号に通信信号が重畳された伝送信号を、前記電池装置の外部からワイヤレスにて受信する。
一構成例として、電池装置において、電池装置は、共振器が受信した伝送信号を電力信号と通信信号とに分周する分周器（図１の例では、分周器３９）を備える。
【００７５】
以上に示した実施形態に係る各装置（例えば、制御部３７など）の機能を実現するためのプログラムをコンピュータ読み取り可能な記録媒体（記憶媒体）に記録して、この記録媒体に記録されたプログラムをコンピュータシステムに読み込ませ、実行することにより、処理を行ってもよい。
なお、ここでいう「コンピュータシステム」とは、オペレーティング・システム（ＯＳ：Ｏｐｅｒａｔｉｎｇ  Ｓｙｓｔｅｍ）或いは周辺機器等のハードウェアを含むものであってもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＤＶＤ（Ｄｉｇｉｔａｌ  Ｖｅｒｓａｔｉｌｅ  Ｄｉｓｃ）等の可搬媒体、コンピュータシステムに内蔵されるハードディスク等の記憶装置のことをいう。また、記録媒体としては、例えば、一時的にデータを記録する記録媒体であってもよい。
【００７６】
さらに、「コンピュータ読み取り可能な記録媒体」とは、インターネット等のネットワーク或いは電話回線等の通信回線を介してプログラムが送信された場合のサーバ或いはクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記のプログラムは、このプログラムを記憶装置等に格納したコンピュータシステムから、伝送媒体を介して、或いは、伝送媒体中の伝送波により他のコンピュータシステムに伝送されてもよい。ここで、プログラムを伝送する「伝送媒体」は、インターネット等のネットワーク（通信網）或いは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピュータシステムに既に記録されているプログラムとの組み合わせで実現できるもの、いわゆる差分ファイル（差分プログラム）であってもよい。
【００７７】
以上、本発明の実施形態について図面を参照して詳述したが、具体的な構成はこの実施形態に限られるものではなく、本発明の要旨を逸脱しない範囲の設計変更等も含まれる。
【符号の説明】
【００７８】
１…電池装置、１１、１２…接続端、３１…温度センサ、３２…電流検出抵抗、３３…遮断部、３４…ヒューズ、３６…通信部、３７…制御部、３８…シールド、３９…分周器、４０…内部電源、５１…放電遮断部、５２…充電遮断部、６１…共振器、６２…通信モジュール、７１…記憶部、７２…検出部、７３…モード切替部、７４…認証部、７５…判定部、７６…処理部、１００…共振システム、１０１…送電側の共振器、１０２…受電側の共振器、１２１、１２２、１６１、１６２…接続端、１３１、１７１…コイル、１３２、１７２…コンデンサ、１３３、１７３…抵抗、１４１…電源、１８１…負荷、Ｂ１〜Ｂ７…電池セル、Ｃ１…電池部、ＣＮ１〜ＣＮ３…接点、ｓ１〜ｓ７、ｓ１１、ｓ２１、ｓ３１…配線
【図１】
2019134605.tif 000003
【図２】
2019134605.tif 000004
【図３】
2019134605.tif 000005
【図４】
2019134605.tif 000006